(57)【要約】【課題】水抜き作業を実施しないでも洗浄時に、ろ材が排水トラフよりろ過槽外に流出しないろ過洗浄装置を提供する。【解決手段】原水が貯留されるろ過池１０と、ろ過池１０に設置され下部にろ材層３０が形成されているろ過槽２０と、ろ過槽２０に設置され側壁５２にスクリーン５６が設置される排水トラフ５０と、ろ過池１０に貯留される原水を排水トラフ５０の側壁５２の上端５３の水位まで排水する排水手段６０と、排水手段６０により排水された段階で、空洗・逆洗併用洗浄又は表洗・逆洗併用洗浄のいずれかによりろ材層３０の洗浄を実施し、濁質を含む洗浄排水を排水トラフ５０より排水する洗浄手段７０とで、ろ過洗浄装置１を構成した。【選択図】図１
2015167932.tif 000002
【特許請求の範囲】
【請求項１】
原水渠から注入された原水が貯留されるろ過池と、
前記ろ過池の下部に設置されるろ過槽と、
前記ろ過槽の下部に充填されたろ材で形成されたろ材層と、
前記ろ材層の下側に設置され、前記ろ過槽の上部に貯留される原水が前記ろ材層に上方から通水され、原水に含まれる濁質が前記ろ材層でろ過された浄水が流出する集水室と、
前記ろ過槽に設置され、側壁にスクリーンが設置される排水トラフと、
前記ろ過池に貯留される原水を前記排水トラフの側壁の上端の水位まで排水する排水手段と、
前記ろ過池の原水の水位が前記排水トラフの側壁の上端の位置まで下降した段階で、前記ろ材層に下方から空気を吹き込む空気洗浄と前記ろ材層に下方から洗浄水を通水する逆流洗浄とを実施する空洗・逆洗併用洗浄、又はろ材層の表面を洗浄水で洗浄する表面洗浄と前記ろ材層に下方から洗浄水を通水する逆流洗浄とを実施する表洗・逆洗併用洗浄のいずれかにより前記ろ材層の洗浄を実施し、濁質を含む洗浄排水を前記排水トラフより排水する洗浄手段と、を備えたことを特徴とするろ過洗浄装置。
【請求項２】
請求項１に記載のろ過洗浄装置において、
前記排水トラフの側壁の上端の位置が、前記ろ材層の表面より６００ｍｍ以下であることを特徴とするろ過洗浄装置。
【請求項３】
原水渠から注入された原水が、下部にろ過槽が設置されているろ過池に貯留される貯留工程と、
前記ろ過槽の上部に貯留された原水が、前記ろ過槽の下部に充填されているろ材により形成されたろ材層に上方から通水され、原水に含まれる濁質がろ過された浄水が前記ろ材層の下側に設置されている集水室に流出されるろ過工程と、
前記貯留工程が停止され、前記ろ過池に貯留されている原水が排水手段により、前記ろ過槽に設置され側壁にスクリーンが設置されている排水トラフの側壁の上端の水位まで排水される排水工程と、
前記排水工程の終了後、前記ろ材層に下方から空気が吹き込まれる空気洗浄と前記ろ材層に下方から洗浄水が通水される逆流洗浄とが実施される空洗・逆洗併用洗浄、又はろ材層の表面が洗浄水で洗浄される表面洗浄と前記ろ材層に下方から洗浄水が通水される逆流洗浄とが実施される表洗・逆洗併用洗浄のいずれかにより前記ろ材層の洗浄が実施され、濁質を含む洗浄排水が前記排水トラフより排水される洗浄工程と、を備えたことを特徴とするろ過洗浄方法。
【発明の詳細な説明】
【技術分野】
【０００１】
本発明は、原水に含まれる濁質をろ材層でろ過し、ろ過で捕捉された濁質をろ材層から空気又は洗浄水で剥離して排水トラフより排水し、ろ材層を洗浄するろ過洗浄装置及びろ過洗浄方法に関する。
【背景技術】
【０００２】
ろ過池の下部に設置されるろ過槽を備え、ろ過槽の下部に充填されたろ材により形成されたろ材層を有するろ過洗浄装置は、原水渠からの原水がろ過池に貯留され、ろ過槽の上部に貯留された原水がろ材層に上方から通水され、原水に含まれる濁質がろ材層で捕捉・分離された浄水が下方より流出されるろ過が一定時間実施されると、浄水に目標値を超える濁質が漏出し又は損失水頭が設定値に達するため、ろ材層に捕捉された濁質を洗浄水で剥離し、剥離された濁質を含む洗浄排水を排水トラフよりろ過槽外に排水し、ろ材層を再生する洗浄が行なわれる。
【０００３】
ろ過洗浄装置におけるろ材層の洗浄方法には、洗浄水によりろ材層の表面を洗浄する表面洗浄（以下「表洗」と称する。）と、その後に、洗浄水をろ材層の下方より上方に向かって通水して洗浄する逆流洗浄（以下「逆洗」と称する。）とを行う表洗・逆洗併用洗浄、又は空気をろ材層の下方より吹き込み洗浄する空気逆流洗浄（以下「空洗」と称する。）と、その後に、上述の逆洗を行う空洗・逆洗併用洗浄がある。いずれの併用洗浄においても逆洗時に、ろ材層を下方から上方に通水した洗浄水がろ材層を流動化させ、ろ材は摩擦・膨張しながら洗浄水と共に上昇する。ろ材層から剥離された濁質は上方に向かう水流により、ろ材層の上方に設けられた排水トラフより洗浄排水としてろ過槽外に排水される。
【０００４】
この場合、排水トラフは上方が開口した桶状に形成されているので、上方に向かう水流により巻き上げられたろ材を含む洗浄排水が排水トラフからろ過槽外に流出されるときにろ材も流出するおそれがあった。この対策として、ろ材層の表面から十分に高い位置に排水トラフを設置することが行われていた。しかしながら、排水トラフを高い位置に設置すると、濁質の排出効率が悪くなり、洗浄のために余分な洗浄時間と洗浄水量が必要になるとの不具合があった。
【０００５】
更に、逆洗に先立ち表洗又は空洗を実施するので、ろ材層が膨張・流動化し、ろ材層の上方の原水がろ材を含んで上方に向かう水流により排水トラフからろ過槽外に流出し、ろ材が損失するおそれがあった。この対策として、図４に示す従来のろ過洗浄装置１００では、水抜きサイフォン１０１を設置し、洗浄前に、予めろ過池１０２の原水の水位１０３を排水トラフ１０４の側壁の上端よりも十分に低い、ろ材層１０６の表面１０７近くまで下げることが行われていた。しかしながら、ろ過池１０２の原水の水位１０３を排水トラフ１０４の側壁の上端より下げるためには、排水サイフォン１０８で原水を排水トラフ１０４の側壁の上端まで抜く作業（以下「排水作業」と称する。）に続けて、水抜きサイフォン１０１でろ過槽１０９の上部の原水をろ材層１０６の表面１０７近くまで抜く作業（以下「水抜き作業」と称する。）を行う必要があり、水抜き作業を実施するための水抜きサイフォン１０１等の設備が必要になると共に、排水作業と水抜き作業を含めた洗浄時間が長くなり、ろ過時間が短縮される不具合があった。更に、図４のろ過洗浄装置とは異なり水抜きサイフォンの一端をろ過槽の上方に設置する形式のろ過洗浄装置の場合、上述の不具合に加えて、水抜きサイフォンからろ材が流出するとの不具合があった。
【０００６】
下記特許文献１では、槽内の逆洗排水樋と濾材層の間に開口させた中間排水管に、中間排水管の開口よりも広い開口面積を有した開口部を連設し、この開口部に複数の傾斜板又は傾斜管を設け、複数の傾斜板又は傾斜管の水平面よりの傾斜角度を４０°〜８０°の範囲内に設定することが提案されている。これにより、中間排水管からのろ材の流出を減少させることはできるが、水抜き作業は従来通り実施しているので、水抜き作業を実施するための設備が必要となり、また排水作業と水抜き作業を含めた洗浄時間も従来と同様で、短縮することはできなかった。
【０００７】
更に、下記特許文献２では、濾過室の下に設けられた集水室と、その集水室と浄水渠とを連通または遮断しうる水路開閉手段と、集水室と連通した捨水渠と、その捨水渠に溜まった水を廃棄するための捨水手段とを具備し、濾過室への原水の供給を止めると共に水路開閉手段により集水室と浄水渠を遮断し且つ捨水手段により捨水渠に溜まった水を廃棄することにより濾材層の上端の少し上まで濾過室の原水の水位を下げることが提案されている。これにより、捨水サイフォンからのろ材の流出をなくすことはできるが、水抜き作業は従来通り実施しているので、水抜き作業を実施するための設備が必要となり、また排水作業と水抜き作業を含めた洗浄時間も従来と同様で、短縮することはできなかった。
【先行技術文献】
【特許文献】
【０００８】
【特許文献１】特許第３３９１４９８号
【特許文献２】特許第３００５８４６号
【発明の概要】
【発明が解決しようとする課題】
【０００９】
本発明は上述の不具合点を解決するためになされたものであって、その目的とするところは、水抜き作業を実施しないでも洗浄時に、ろ材が排水トラフよりろ過槽外に流出しないろ過洗浄装置及びろ過洗浄方法を提供することである。
【００１０】
また別の目的とするところは、ろ材層を洗浄するための排水時間を含めた洗浄時間を短縮することができるろ過洗浄装置及びろ過洗浄方法を提供することである。
【課題を解決するための手段】
【００１１】
上記目的を達成するため、本発明の請求項１に係るろ過洗浄装置は、原水渠から注入された原水が貯留されるろ過池と、前記ろ過池の下部に設置されるろ過槽と、前記ろ過槽の下部に充填されたろ材で形成されたろ材層と、前記ろ材層の下側に設置され、前記ろ過槽の上部に貯留される原水が前記ろ材層に上方から通水され、原水に含まれる濁質が前記ろ材層でろ過された浄水が流出する集水室と、前記ろ過槽に設置され、側壁にスクリーンが設置される排水トラフと、前記ろ過池に貯留される原水を前記排水トラフの側壁の上端の水位まで排水する排水手段と、前記ろ過池の原水の水位が前記排水トラフの側壁の上端の位置まで下降した段階で、前記ろ材層に下方から空気を吹き込む空気洗浄と前記ろ材層に下方から洗浄水を通水する逆流洗浄とを実施する空洗・逆洗併用洗浄、又はろ材層の表面を洗浄水で洗浄する表面洗浄と前記ろ材層に下方から洗浄水を通水する逆流洗浄とを実施する表洗・逆洗併用洗浄のいずれかにより前記ろ材層の洗浄を実施し、濁質を含む洗浄排水を前記排水トラフより排水する洗浄手段と、を備えたことを特徴とするものである。
【００１２】
また、本発明の請求項２に係るろ過洗浄装置は、請求項１に記載のろ過洗浄装置において、前記排水トラフの側壁の上端の位置が、前記ろ材層の表面より６００ｍｍ以下であることを特徴とするものである。
【００１３】
また、本発明の請求項３に係るろ過洗浄方法は、原水渠から注入された原水が、下部にろ過槽が設置されているろ過池に貯留される貯留工程と、前記ろ過槽の上部に貯留された原水が、前記ろ過槽の下部に充填されているろ材により形成されたろ材層に上方から通水され、原水に含まれる濁質がろ過された浄水が前記ろ材層の下側に設置されている集水室に流出されるろ過工程と、前記貯留工程が停止され、前記ろ過池に貯留されている原水が排水手段により、前記ろ過槽に設置され側壁にスクリーンが設置されている排水トラフの側壁の上端の水位まで排水される排水工程と、前記排水工程の終了後、前記ろ材層に下方から空気が吹き込まれる空気洗浄と前記ろ材層に下方から洗浄水が通水される逆流洗浄とが実施される空洗・逆洗併用洗浄、又はろ材層の表面が洗浄水で洗浄される表面洗浄と前記ろ材層に下方から洗浄水が通水される逆流洗浄とが実施される表洗・逆洗併用洗浄のいずれかにより前記ろ材層の洗浄が実施され、濁質を含む洗浄排水が前記排水トラフより排水される洗浄工程と、を備えたことを特徴とするものである。
【発明の効果】
【００１４】
上記構成を備えた本発明のろ過洗浄装置及びろ過洗浄方法は、ろ過池の原水が排水トラフの側壁の上端の水位まで排出された段階で、ろ材層の洗浄を開始してろ材が上昇流の洗浄排水に混じっても、排水トラフの側壁に設置されているスクリーンにより、ろ材が排水トラフから洗浄排水と共にろ過槽外に流出するのを防止することができる。従って、ろ過槽の原水の水位を排水トラフの側壁の上端よりさらに低いろ材層の表面近くまで下げる水抜き作業を不要とし、水抜き作業に使用する水抜きサイフォン等の設備や制御装置等を不要とすることができる。更に、水抜き作業を排し、排水作業後に洗浄を実施することができるので、排水時間を含めた洗浄時間、即ちろ過を実施していない時間を短縮し、ろ過洗浄装置におけるろ過時間を延長することができると共にと、洗浄水としての浄水の使用量の減少を図ることができる。
【００１５】
更に本発明のろ過洗浄装置及びろ過洗浄方法は、排水トラフの側壁にスクリーンが設置されているので、濁質が洗浄排水として排水トラフからろ過槽外に排水されるときに洗浄排水に含まれているろ材をスクリーンで阻止し、ろ材が洗浄排水と一緒に排水トラフからろ過槽外に排水されるのを防止することができる。従って、排水トラフの設置位置をろ材層表面より高い位置であるが従来実施より低い位置に設置することができ、抑留物を効率良くろ過槽外に排出することができると同時に、排水時間を含めた洗浄時間、即ちろ過を実施していない時間を短縮し、ろ過洗浄装置におけるろ過時間を延長することができると共にと、洗浄水としての浄水の使用量の減少を図ることができる。
【００１６】
更に本発明のろ過洗浄装置は、排水トラフの側壁の上端の位置をろ材層の表面より６００ｍｍ以下にすることで、抑留物をより一層効率よくろ過槽外に排出することができ、排水時間を含めた洗浄時間、即ちろ過を実施していない時間をより一層短縮し、洗浄水としての浄水の使用量の減少をより一層図ることができる。
【図面の簡単な説明】
【００１７】
【図１】本発明に係るろ過洗浄装置のろ過時の概略断面説明図
【図２】図１のａ‐ａの位置で切断した排水トラフにスクリーンが設置された状態を示す断面説明図
【図３】本発明に係るろ過洗浄装置の洗浄前排水時の概略断面説明図
【図４】従来のろ過洗浄装置のろ過時の概略断面説明図
【発明を実施するための形態】
【００１８】
以下に図面を参照して、この発明の実施形態に係るろ過洗浄装置について、例示して説明する。ただし、この発明の範囲は、この実施の形態に記載されている内容に限定する趣旨のものではない。
【００１９】
図１は本発明に係るろ過洗浄装置のろ過時の概略断面説明図、図２は図１のａ‐ａの位置で垂直に切断した排水トラフにスクリーンが設置された状態を示す断面説明図、図３は本発明に係るろ過洗浄装置の洗浄前排水時の概略断面説明図である。
【００２０】
本発明に係るろ過洗浄装置１は、ろ過池１０と、ろ過槽２０と、ろ材層３０と、集水室４０と、排水トラフ５０と、排水手段６０と、洗浄手段７０とを備えている。
【００２１】
ろ過池１０は、上方に設置された原水渠１１から原水導入管１２を通って注入された原水が上部に貯留され、下部には後述するろ過槽２０が設置されている。
【００２２】
原水渠１１は、第一原水渠１１Ａと第二原水渠１１Ｂと原水流入渠１１Ｃとから構成されている。原水は、第一原水渠１１Ａと第二原水渠１１Ｂとの間に設置されている原水空封トラップ１３により、ろ過池１０への原水の注入と停止及び注入量が制御されている。
【００２３】
ろ過槽２０は、ろ過池１０の下部に設置されているので、ろ過池１０に原水が充満しているときには原水中に没した状態となっている。ろ過槽２０は、上部には後述する排水トラフ５０が設置され、下部には後述するろ材３１が充填されている。
【００２４】
ろ材層３０は、ろ過槽２０の下部に充填されたろ材３１により形成されている。ろ材層３０は、２種類のろ材（３１Ａ，３１Ｂ）で形成された複層（３０Ａ，３０Ｂ）で構成されている。上ろ材層３０Ａには、有効径が大きいろ材３１Ａ、例えばアンスラサイトが用いられ、下ろ材層３０Ｂには、有効径が小さいろ材３１Ｂ、例えば珪砂が用いられる。尚、本実施例では、ろ材層３０は複層である場合について説明したが、一種類のろ材３１で形成された単層のろ材層３０であっても良い。
【００２５】
集水室４０は、ろ材層３０の下側に設置されていて、ろ材層３０によりろ過された原水が浄水として一時貯水されるとともに、後述する洗浄手段７０にて実施される逆洗時に洗浄水としての浄水が一時貯水される機能を有する。通常集水室４０には、浄水が常に貯水している状態である。集水室４０の上部にはろ過槽２０と通じる複数の流路４１が形成されていて、ろ材層３０を通水しろ過された浄水が上から下に通過し、また、洗浄時には、下から上に洗浄水及び空気が通過できるようになっている。
【００２６】
排水トラフ５０はろ過槽２０の上部に設置され、排水トラフ５０の底面５１が、洗浄時にろ材層３０が膨張したときの上ろ材層３０Ａの表面３２より高い位置であって、排水トラフ５０の側壁５２の上端５３が上ろ材層３０Ａの表面３２より６００ｍｍ以下に設置されている。
【００２７】
排水トラフ５０は、一端がろ過槽仕切壁２１に形成されている開口２２に連結し、排水トラフ５０に流入した洗浄排水は、開口２２から原水排水室６１に排水される。排水トラフ５０の縦方向の切断断面形状は、一般的には矩形であるが、多角形やＵ字形であっても良い。
【００２８】
図２に示す通り、排水トラフ５０の側壁５２の上端５３には、スクリーン５６が設置されている。スクリーン５６は、（１）のように上方が開放されていても、また、（２）のように排水トラフ５０の上方を覆っている形状であっても良い。
【００２９】
尚、スクリーン５６の設置位置は、排水トラフ５０の側壁５２の上端５３が好適であるが、側壁５２の下端５４及び上端５３と下端５４の中間に設置しても良い。また、スクリーン５６は、排水トラフ５０がろ過槽２０の中央部に設置されているときは両側に設置されるが、排水トラフ５０がろ過槽２０の周壁に沿って設置される場合には、片側にのみ設置されることになる。尚、スクリーン５６が排水トラフ５０の側壁５２の片側に設置される枚数は１枚が好適であるが、複数設置しても良い。
【００３０】
スクリーン５６は、メッシュ状であることが好適であるがスリット状であっても良い。また、メッシュ状のスクリーン５６である場合、メッシュの目開きは、ろ材３１の粒子より小さく且つ抑留物より大きいことが好適である。
【００３１】
排水手段６０は、ろ過池１０に貯留されている原水の水位１４を、排水トラフ５０の側壁５２の上端５３の位置まで下げることができる装置で、ろ過池１０の原水排水室６１の原水を原水排水室仕切壁６２を隔てて設置されている排水渠６３に排水する逆Ｕ字状の排水サイフォン６４とそれに付随した図示していない調整弁等で構成されている。
【００３２】
洗浄手段７０としては、表洗・逆洗併用のろ過洗浄装置では、表洗を実施するための手段と、逆洗を実施する手段とから構成され、空洗・逆洗併用のろ過洗浄装置では、空洗を実施する手段と、逆洗を実施する手段とから構成される。
【００３３】
図１は、空洗・逆洗併用のろ過洗浄装置１であるので、その洗浄手段７０について説明する。空洗を実施する手段は、ろ材層３０に下方から空気を吹き込むための空洗ブロワー７１、それに付随する調整弁７２と、空洗ブロワー７１で集水室４０まで空気を送り込む空洗管７３と、集水室４０からろ材層３０に下から空気を吹き込む流路４１と、空気量、時間、圧力、調整弁７２の開閉等を制御する図示していない制御装置等から構成されている。更に、逆洗を実施する手段は、ろ材層３０に下方から洗浄水となる浄水を集水室４０まで送り込むろ過水渠８０と、集水室４０からろ材層３０に下から洗浄水を通水する流路４１と、ろ過水渠８０に共通浄水渠８１から送り込む洗浄水としての浄水を調整する浄水空封トラップ８２と、洗浄水量、時間、圧力、浄水空封トラップ８２等を制御する空洗を制御するのと同一の制御装置等から構成されている。
【００３４】
制御装置は、上記の洗浄手段として調整弁７２や浄水空封トラップ８２を制御するほかに、原水空封トラップ１３やその他のろ過洗浄装置１に設置されているが図示されていない調整弁等の制御も合わせて行う。
【００３５】
次に、上記構成に係るろ過洗浄装置１の作動方法について説明する。ろ過洗浄装置１の作動は、貯留工程と、ろ過工程と、排水工程と、洗浄工程とから構成されている。
【００３６】
貯留工程は、原水渠１１の原水をろ過池１０に注入貯留させる工程で、原水空封トラップ１３を開状態とし、第一原水渠１１Ａから第二原水渠１１Ｂへ原水空封トラップ１３を通り流出した原水は、原水流入堰１１Ｄを越えて原水流入渠１１Ｃから原水導入管１２を通りろ過池１０に注入されて、貯留される。原水渠１１からろ過池１０への注入及び停止、ならびに注入量の調整は第一原水渠１１Ａと第二原水渠１１Ｂの間に設置されている原水空封トラップ１３にて行われ、原水空封トラップ１３の制御は、洗浄手段７０を構成する制御装置にて行われる。
【００３７】
ろ過工程は、貯留工程と共に開始される。ろ過池１０に注入された原水の水圧で、ろ過槽２０の上部に貯留している原水は、ろ材層３０を上から通水され、ろ材層３０により濁質がろ過された浄水は、集水室４０を経由してろ過水渠８０に貯留される。ろ過水渠８０に貯留された浄水は、ろ過水渠８０と共通浄水渠８１との間に設置されている浄水空封トラップ８２が、ろ過水渠８０から共通浄水渠８１方向に導通する開状態となっているので、共通浄水渠８１から浄水堰８３を越えて、浄水貯留渠８４に貯留される。
【００３８】
所定時間ろ過工程が実施されると、浄水に目標値を超える濁質が漏出し又は損失水頭が設定値に達するため、ろ材層３０を洗浄するための洗浄工程に先立ち排水工程が行われる。
【００３９】
排水工程は、初めにろ過池１０へ原水渠１１から原水を注入貯留させる貯留工程が停止される。即ち、原水空封トラップ１３が閉状態とされるが、ろ過工程は継続され、浄水空封トラップ８２は、ろ過水渠８０から共通浄水渠８１に導通する開状態が継続される。合わせて、排水サイフォン６４の調整弁が開状態とされ、ろ過池１０の原水が原水排水室６１から排水渠６３に排水される。ろ過池１０の原水の水位１４が、排水トラフ５０の側壁５２の上端５３になった時点で、浄水空封トラップ８２が閉状態とされろ過工程と排水作業が停止され、排水工程は終了し、洗浄工程に移行する。即ち、原水の水位１４が排水トラフの側壁５２の上端５３にある図３の状態で洗浄工程が開始されることになり、水抜き作業は実施されないことになる。
【００４０】
洗浄工程は、初めに空洗が開始され、空洗が所定時間実施された後、空洗が継続された状態で逆洗が開始され、空洗と逆洗の同時実施が所定時間継続した後に空洗が停止され、その後は逆洗のみが所定時間実施され、逆洗も停止されて洗浄工程が終了する。
【００４１】
空洗は、空気ブロワー７１の調整弁７２が開状態とされ、空気が空洗管７３を通り集水室４０から流路４１を経由して、ろ材層３０に下から吹き込まれ、上昇気泡の微振動によりろ材３１に付着した濁質が剥離される。剥離された濁質は、排水トラフ５０の側壁５２の上端５３まで残留している原水の中を上昇気流により原水に混じって上昇し、排水トラフ５０から濁質を含んだ洗浄排水として原水排水室６１に排水される。この場合に、洗浄排水には上昇気流によりろ材３１も混じることになるが、排水トラフ５０に流出するときに排水トラフ５０に設置されているスクリーン５６を通過するので、ろ材３１はスクリーン５６で遮断され濁質のみが洗浄排水として排水トラフ５０から流出することになる。
【００４２】
空洗が継続された状態で、浄水空封トラップ８２が共通浄水渠８１からろ過水渠８０方向に導通する開状態となり、逆洗が開始される。逆洗は、ろ過水渠８０の浄水が洗浄水として集水室４０に流入し、集水室４０から流路４１を経由してろ材層３０に下から通水され上昇水流となる。上昇水流は、ろ材層３０を流動化し、ろ材３１相互の衝突摩擦や水流によるせん断力でろ材３１に付着した濁質を剥離し、濁質を取り込んで原水に混じって上昇する。所定時間経過後、空気ブロワー７１の調整弁７２が閉状態となり空洗が終了するが、逆洗はそのまま所定時間継続され、浄水空封トラップ８２が閉状態とされると逆洗は終了する。上昇水流による洗浄排水は、排水トラフ５０から濁質を含んだ状態で原水排水室６１に排水される。この場合に、洗浄排水には上昇水流によりろ材３１も混じることになるが、排水トラフ５０に流出するときにスクリーン５６を通過するので、ろ材３１はスクリーン５６で遮断され濁質のみが洗浄排水として排水トラフ５０から流出することになる。
【００４３】
原水排水渠６１に流入した洗浄排水は、排水サイフォン６４が開状態となっているので、排水サイフォン６４により排水渠６３に流出される。
【００４４】
洗浄工程の終了後、貯留工程、ろ過工程に戻るが、ろ過工程の前に捨水工程が、通常は実施される。捨水工程は、洗浄を実施したためにろ材層３０の密度が低く、ろ材層３０にはろ材３１が擦られたことによる異物が残留しているおそれもあるので、貯留工程が開始されたことによりろ過池１０に貯留した水圧でろ材層３０を通水した浄水を、集水室４０から捨水渠９０に捨水する工程である。ろ材層３０を通水した浄水は、集水室４０から捨水渠９０を経由して共通捨水渠９１に流出され、共通排水渠９１に流入した浄水は、排水され又は原水渠１１に戻される。ろ材層３０が安定した状態に戻ると、捨水工程は終了し、ろ材層３０を通水した浄水は集水室４０からろ過水渠８０に流出するろ過工程に移行する。
【００４５】
以上の通り、排水トラフ５０の側壁５２にスクリーン５６が設置されているので、洗浄排水に含まれるろ材３１の流出を防止し、濁質のみを排出することが可能となる。
【００４６】
排水工程で、ろ過池１０に貯留している原水の水位を、排水トラフ５０の側壁５２の上端５３まで下げた段階で洗浄工程の空洗を開始することが可能となる。即ち、洗浄によりろ材層３０表面のろ材３１が舞い上がり、上昇流によりろ材３１が混じった原水が洗浄排水として排出トラフ５０から流出することになっても、ろ材３１はスクリーン５６に阻止されるので、排出トラフ５０からろ過槽２０外にろ材３１が流出されるのを防止することが可能となる。
【００４７】
ろ過池１０の原水の水位をろ材層３０の表面３２近くまで下げる従来実施していた水抜き作業が不要となり、水抜き作業を実施するための水抜きサイフォン等の設備や制御装置（制御に関するソフトを含む）等を不要とすることが可能となる。
【００４８】
水抜き作業を排し、排水工程後に洗浄工程を開始することができるので、排水時間を含めた洗浄時間、即ちろ過を実施していない時間を短縮し、ろ過洗浄装置１のろ過工程を実施する時間を延長し、実稼働率を向上することが可能となると共に、洗浄水としての浄水の使用量の減少を図ることが可能となる。
【００４９】
排水トラフ５０の側壁５２の上端５３の位置をろ材層３０の表面３２より６００ｍｍ以下とすることが可能となるので、抑留物を効率良くろ過槽２０外に排出することができ、より一層洗浄時間の短縮を図ることが可能となり、洗浄水としての浄水の使用量のより一層の減少を図ることが可能となる。
【００５０】
尚、本実施形態では、空洗・逆洗併用洗浄の場合について説明したが、表洗・逆洗併用洗浄について同様であることは言うまでもない。
【符号の説明】
【００５１】
１          ろ過洗浄装置
１０        ろ過池
１１，１１Ａ，１１Ｂ        原水渠
１１Ｃ      原水流入渠
１１Ｄ      原水流入堰
１２        原水導入管
１３        原水空封トラップ
１４        水位
２０        ろ過槽
２１        ろ過槽仕切壁
２２        開口
３０，３０Ａ，３０Ｂ        ろ材層
３１，３１Ａ，３１Ｂ        ろ材
３２，３２Ａ，３２Ｂ        ろ材層の表面
４０        集水室
４１        流路
５０        排水トラフ
５１        底面
５２        側壁
５３        上端
５４        下端
５６        スクリーン
６０        排水手段
６１        原水排水室
６２        原水排水室仕切壁
６３        排水渠
６４        排水サイフォン
７０        洗浄手段
７１        空洗ブロワー
７２        調整弁
７３        空洗管
８０        ろ過水渠
８１        共通浄水渠
８２        浄水空封トラップ
８３        浄水堰
８４        浄水貯留渠
９０        捨水渠
９１        共通捨水渠
【図１】
2015167932.tif 000003
【図２】
2015167932.tif 000004
【図３】
2015167932.tif 000005
【図４】
2015167932.tif 000006